(57)【要約】【課題】本発明は、金属屋根材に設けられ太陽発電モジュールを載置するための、モジュール固定部の構造をつぶれやすくし、その両端をつぶして無落雪金属屋根に適用することである。【解決手段】本発明による無落雪金属屋根は、金属屋根材(1)に設けられ太陽発電モジュール(70)を載置するためのモジュール固定部(11)が、断面形状でくの字型に曲折した第１、第２くの字型立上がり部(12,13)で構成され、前記太陽発電モジュール(20)が載置される部分以外の両端をつぶすことにより、無落雪金属屋根(60)に適用できる構成である。【選択図】図３
2015078489.tif 000002
【特許請求の範囲】
【請求項１】
野地板(22)に吊り子(23)を介して設けた金属屋根材上(1)に１個又は複数の太陽発電モジュール(70)が設置され、互いに逆方向に傾斜する第１傾斜屋根部(61)と第２傾斜屋根部(62)との間に谷樋(63)が設けられた無落雪金属屋根において、
前記金属屋根材(1)に形成され前記太陽発電モジュール(70)を支持するため直線状に形成された長手のモジュール固定部(11)は、前記金属屋根材(1)から互いに逆向きで鈍角状のくの字型に立上がる一対の第１、第２くの字型立上がり部(12,13)からなり、前記各くの字型立上がり部(12,13)内には空間(14)が形成され、前記各くの字型立上がり部(12,13)の先端に形成され内方に向けて突出する第１、第２内方突出部(12b,13b)は、前記金属屋根材(1)が折り重ねられて形成され、前記モジュール固定部(11)の全長のうち一端側及び他端側はつぶされて互いに離間する第１、第２平坦部(12A,13A)が形成され、前記モジュール固定部(11)の前記各平坦部(12A,13A)間に前記太陽発電モジュール(70)が載置されていることを特徴とする無落雪金属屋根。
【請求項２】
前記各くの字型立上がり部(12,13)は、各々一対のくの字型曲折部(12a,12a,13a,13a)を有し、前記各くの字型立上がり部(12,13)をつぶす時は、前記各くの字型曲折部(12a,12a,13a,13a)が折れて平坦状に変形されていることを特徴とする請求項１記載の無落雪金属屋根。
【請求項３】
前記第１平坦部(12A)は前記第１、第２傾斜屋根部(61,62)の第１、第２パラペット(64,65)側で上方に折り曲げられ、前記第２平坦部(13A)は前記第１、第２傾斜屋根部(61,62)の前記谷樋(63)側で下方に折り曲げられていることを特徴とする請求項１又は２記載の無落雪金属屋根。
【請求項４】
前記吊り子(23)の長さは、前記モジュール固定部(11)の全長より短いことを特徴とする請求項１ないし３の何れかに記載の無落雪金属屋根。
【発明の詳細な説明】
【技術分野】
【０００１】
本発明は、無落雪金属屋根に関し、特に、太陽発電モジュールを載置するためのモジュール固定部を一体に有する金属屋根材を無落雪金属屋根に適用できるようにするための新規な改良に関する。
【背景技術】
【０００２】
従来、用いられていたこの種の太陽発電モジュールを載置するための金属屋根としては、例えば、特許文献１に開示されている構成を図１２から図１７に開示することができる。
すなわち、図１２において符号１で示されるものは、金属板に防錆処理が施された屋根材であり、この屋根材１は所定の幅Ｗで所定の奥行きを有すると共に、その両端には各屋根材１を接続するための一対の屋根嵌合部１０が屋根材１と一体に形成されている。
【０００３】
前記屋根材１の各屋根嵌合部１０,１０間、すなわち、前記幅Ｗの中央位置には、モジュール固定部１１が屋根材１と一体に形成され、このモジュール固定部１１は断面でみてＬ字形をなす第１、第２Ｌ字形部材１２Ａ，１３により構成されている。
前記第１、第２Ｌ字形部材１２Ａ，１３の先端には、互いに内方へ向けて対向する一対の第１、第２舌片１２ａ，１３ａが形成されている。
【０００４】
前記第１、第２Ｌ字形部材１２Ａ，１３は前記屋根材１を折り曲げかつ折り返すことにより、内部に空間１４が形成されている。
尚、前述のモジュール固定部１１は、図１２のように屋根材１と一体に形成された場合に限らず、例えば、図１３に示されるように、モジュール固定部１１のみを別体として形成して屋根材１に溶接接続したり、あるいは、屋根材１とは異なる材質の金属材質からなるモジュール固定部１１として後付けすることもできる。また、前述の屋根材１、モジュール固定部１１、屋根嵌合部１０によって金属屋根２０が形成されている。
【０００５】
前記金属屋根２０の屋根材１を、家屋の屋根上に取付ける場合、図１４で示されるように、垂木２１上の野地板２２の上に固定された吊り子２３に前記モジュール固定部１１を嵌め込むと、前記吊り子２３の両端に形成それた一対の曲折舌片２３ａが前記第１、第２Ｌ字形部材１２Ａ，１３の各空間１４内に嵌合するため、各曲折舌片２３ａが各Ｌ字形部材１２Ａ，１３の段部１２ｂ，１３ｂに係合し、前記モジュール固定部１１が野地板２２に対して固定され、金属屋根２０の固定が行われる。
【０００６】
前述のようにして金属屋根２０が前記野地板２２上に固定された後、図１５で示されるように、縦ボルト３０を垂直に植設して有すると共に断面凹状をなす第１留め具３１を各舌片１２ａ，１３ａの下面側から上方に向けて位置決めした後、各舌片１２ａ，１３ａの上面側から、断面凹状をなす第２留め金具３２が載置されている。
前記縦ボルト３０は、前記第２留め具３２の中心に形成された孔３３を貫通して上方へ突出し、この縦ボルト３０の上部から螺合したナット３４を締め付けることにより、前記第１、第２留め具３１,３２は前記各舌片１２ａ，１３ａを挟持した状態で図１５のように前記モジュール固定部１１に固定されている。
【０００７】
前述のように、前記野地板２２上に固定されたモジュール固定部１１の縦ボルト３０上に太陽発電モジュール１２を固定する場合、第１の形態として、図１６及び図１７の構成を挙げることができる。
すなわち、図１６及び図１７において、前記モジュール固定部１１から上方に突出している縦ボルト３０には、断面凹状の第３、第４留め具４０,４１が、互いにその凸部４０ａ，４１ａが直接当接する状態で重ねて積層され、第３、第４留め具４０,４１の両端には、図１７で示されるように各留め具４０,４１によって形成される第１、第２凹部４２,４３内には、一対の太陽発電モジュール１２の端部が挿入あるいは挟持された状態で保持されている。
【０００８】
前記第１、第２凹部４２,４３は、同じ水平位置に設けられているため、各太陽発電モジュール１２は同じ水平位置に水平状に配設されており、第３、第４留め具４０,４１は互いに重合した状態で取付ナット４によって締結されている。
【先行技術文献】
【特許文献】
【０００９】
【特許文献１】特開２０１３−２８９４０号公報
【発明の概要】
【発明が解決しようとする課題】
【００１０】
従来の金属屋根は、以上のように構成されていたため、次のような課題が存在していた。
すなわち、従来構成のモジュール固定部は一対のＬ字形部材を有し、無落雪屋根に適用する場合には、各Ｌ字形部材の長手方向に沿う両端をつぶして平坦部を形成しなければならず、各Ｌ字形部材は形状も複数で、かつ、垂直に立上る壁も存在するため、簡単な作業ではつぶして平坦部を形成することができず、無落雪金属屋根に適用するには、作業上の観点から困難であった。
【００１１】
本発明は、以上のような課題を解決するためになされたもので、特に、太陽発電モジュールを載置するためのモジュール固定部を断面で見てくの字型に曲折した一対のくの字型立上がり部を用いることにより、簡単につぶして平坦部を形成することができるようにした無落雪金属屋根を得ることを目的とする。
【課題を解決するための手段】
【００１２】
本発明による無落雪金属屋根は、野地板に吊り子を介して設けた金属屋根材上に１個又は複数の太陽発電モジュールが設置され、互いに逆方向に傾斜する第１傾斜屋根部と第２傾斜屋根部との間に谷樋が設けられた無落雪金属屋根において、前記金属屋根材に形成され前記太陽発電モジュールを支持するため直線状に形成された長手のモジュール固定部は、前記金属屋根材から互いに逆向きで鈍角状のくの字型に立上がる一対の第１、第２くの字型立上がり部からなり、前記各くの字型立上がり部内には空間が形成され、前記各くの字型立上がり部の先端に形成され内方に向けて突出する第１、第２内方突出部は、前記金属屋根材が折り重ねられて形成され、前記モジュール固定部の全長のうち一端側及び他端側はつぶされて互いに離間する第１、第２平坦部が形成され、前記モジュール固定部の前記各平坦部間に前記太陽発電モジュールが載置されている構成であり、また、前記各くの字型立上がり部は、各々一対のくの字型曲折部を有し、前記各くの字型立上がり部をつぶす時は、前記各くの字型曲折部が折れて平坦状に変形されている構成であり、また、前記第１平坦部は前記第１、第２傾斜屋根部の第１、第２パラペット側で上方に折り曲げられ、前記第２平坦部は前記第１、第２傾斜屋根部の前記谷樋側で下方に折り曲げられている構成であり、また、前記吊り子の長さは、前記モジュール固定部の全長より短い構成である。
【発明の効果】
【００１３】
本発明による無落雪金属屋根は、以上のように構成されているため、次のような効果を得ることができる。
すなわち、野地板に吊り子を介して設けた金属屋根材上に１個又は複数の太陽発電モジュールが設置され、互いに逆方向に傾斜する第１傾斜屋根部と第２傾斜屋根部との間に谷樋が設けられた無落雪金属屋根において、前記金属屋根材に形成され前記太陽発電モジュールを支持するため直線状に形成された長手のモジュール固定部は、前記金属屋根材から互いに逆向きで鈍角状のくの字型に立上がる一対の第１、第２くの字型立上がり部からなり、前記各くの字型立上がり部内には空間が形成され、前記各くの字型立上がり部の先端に形成され内方に向けて突出する第１、第２内方突出部は、前記金属屋根材が折り重ねられて形成され、前記モジュール固定部の全長のうち一端側及び他端側はつぶされて互いに離間する第１、第２平坦部が形成され、前記モジュール固定部の前記各平坦部間に前記太陽発電モジュールが載置されていることにより、モジュール固定部の極めてつぶしやすく、作業者が屋根上で簡単につぶすことができ、無落雪屋根の金属屋根材の加工が可能となる。
また、前記各くの字型立上がり部は、各々一対のくの字型曲折部を有し、前記各くの字型立上がり部をつぶす時は、前記各くの字型曲折部が折れて平坦状に変形されていることにより、モジュール固定部を容易につぶすことができる。
また、前記第１平坦部は前記第１、第２傾斜屋根部の第１、第２パラペット側で上方に折り曲げられ、前記第２平坦部は前記第１、第２傾斜屋根部の前記谷樋側で下方に折り曲げられていることにより、無落雪金属屋根の加工作業が極めて容易となる。
また、前記吊り子の長さは、前記モジュール固定部の全長より短いことにより、モジュール固定部上における太陽発電モジュールの設置が容易となる。
【図面の簡単な説明】
【００１４】
【図１】本発明による無落雪金属屋根の金属屋根材の断面図である。
【図２】図１のモジュール固定部の内側に装着する吊り子の断面図である。
【図３】(A)はモジュール固定部内に吊り子を装着した状態を示す断面図：(B)はモジュール固定部をそのままつぶした状態を示す断面図である。
【図４】無落雪金属屋根と吊り子の状態を示す平面構成図である。
【図５】図４の正面断面図である。
【図６】本発明による無落雪金属屋根上に太陽発電モジュールを載置した状態を示す平面図である。
【図７】図６の正面断面図である。
【図８】図６の要部を示す拡大平面図である。
【図９】図８の正面断面図である。
【図１０】図８の側面断面図である。
【図１１】図７の他の形態の太陽発電モジュールを載置した状態を示す断面構成図である。
【図１２】従来の金属屋根を示す構成図である。
【図１３】図１２の他の形態を示す構成図である。
【図１４】図１２のモジュール固定部と吊り子の関係を示す構成図である。
【図１５】図１４のモジュール固定部と吊り子の結合状態を示す構成図である。
【図１６】図１４の結合状態の縦ボルトに太陽発電モジュールを水平状に配設した状態を示す構成図である。
【図１７】図１６の側面図である。
【発明を実施するための形態】
【００１５】
本発明による無落雪屋根は、金属屋根材のモジュール固定部の一対のくの字型立上がり部にくの字型立上がり部を形成してつぶれやすくし、モジュール固定部とつぶして形成した平坦部とを形成することによって無落雪屋根上に太陽発電モジュールを設置することができるようにした構成である。
【実施例】
【００１６】
以下、図面と共に本発明による無落雪金属屋根の好適な実施の形態について説明する。
尚、従来例と同一又は同等部分には同一符号を用いて説明する。
図１において符号１で示されるものは、金属板に防錆処理が施された金属屋根材であり、この金属屋根材１はその両端に第１屋根接続部１０及び第２屋根接続部１０Ａが形成され、その中央位置にはこの金属屋根材１と一体に折り曲げて形成された一対の第１、第２くの字型立上がり部１２,１３が設けられている。
【００１７】
前記第１、第２くの字型立上がり部１２,１３は、各々空間１４を介して鈍角状のくの字型に曲折する一対のくの字型曲折部１２ａ，１２ａ，１３ａ，１３ａを有し、各くの字型曲折部１２ａ，１２ａ，１３ａ，１３ａの先端には、他が内方へ向けて突出すると共に前記金属屋根材１が折り重ねられて形成された第１、第２内方突出部１２ｂ，１３ｂが形成されている。
従って、前記金属屋根材１を図１の横方向に継ぎ足す場合は、前記第１、第２屋根接続部１０，１０Ａを用いて継ぎ足すことができ、第１、第２屋根接続部１０，１０Ａを互いに接続してかしめることにより複数の金属屋根材１を後述の無落雪金属屋根６０（図４、図５等）の屋根幅に合わせて追加施工することができる。
【００１８】
図２で示されるものは、前記モジュール固定部の空間１４内に装着する吊り子２３であり、図３の(A)に示されるように野地板２２の上面に釘２２ａによって垂木２１と共に固定された吊り子２３上にモジュール固定部１１を嵌合式に係合させることにより、金属屋根材１は野地板２２上に固定される。
尚、図３の(A)は、前記モジュール固定部１１を吊り子２３を用いてつぶさないで太陽発電モジュール７０を載置するために用いる部分であり、図３の(B)は、前記吊り子２３を内設することなく、モジュール固定部１１の第１、第２くの字型立上がり部１２,１３をつぶすことにより、第１、第２平坦部１２Ａ，１３Ａを形成し、金属屋根材１を曲折して無落雪金属屋根６０（図４、図５に示す）に適用できるように構成した状態を示している。
【００１９】
図４及び図５は、従来から雪の多い地域で用いられ、屋根からの落雪を防止している無落雪金属屋根６０の平面図と断面図を示している。
前記無落雪金属屋根６０は、互いに逆方向に傾斜する第１傾斜屋根部６１と第２傾斜屋根部６２と、前記各傾斜屋根部６１,６２の間に形成された谷樋６３とからなり、前記第１傾斜屋根部６１の第１平坦部１２Ａ側には垂直状の第１パラペット６４が設けられ、前記第２傾斜屋根部６２の第１平坦部１２Ａ側には第２パラペット６５が設けられている。
【００２０】
前記金属屋根材１のモジュール固定部１１の一端側１１Ａと他端側１１Ｂには、前記第１、第２平坦部１２Ａ，１３Ａが形成されているため、前記モジュール固定部１１内に内設されている前記吊り子２３の長さは、前記各平坦部１２Ａ，１３Ａを除く長さ（図４で示す）に設定され、この吊り子２３は前記各平坦部１２Ａ，１３Ａ間に位置している。
前記第１傾斜屋根部６１における各第１平坦部１２Ａは前記第１パラペット６４に取り付けることができるように上方へ曲折され、前記各第２平坦部１３Ａは前記谷樋６３に水を流すことができるように下方へ向けて曲折されている。
【００２１】
前記第２傾斜屋根部６２における各第１平坦部１２Ａは前記第２パラペット６５に取り付けることができるように上方へ曲折され、前記各第２平坦部１３Ａは前記谷樋６３に水を流すことができるように下方へ向けて曲折されている。尚、他の部分は図１から図と同一部分には同一符号を付し、その説明を省略している。
【００２２】
図６及び図７は、前述の図４及び図５で示した無落雪金属屋根６０の上に金具７１を介して太陽発電モジュール７０を直付けで設置した状態を示している。尚、図４及び図５と同一又は同等部分については同一符号を付し、その説明は省略する。
【００２３】
図８〜図１０は、前記太陽発電モジュール７０を前記モジュール固定部１１の上部に取り付けた状態を示しており、前述のモジュール固定部１１の上部には前記吊り子２３と類似の形状をなす前記金具７１が設けられている。
前記金具７１の両側に形成され断面でくの字型をなす第１、第２係止部７２,７３が前記第１、第２くの字型立上がり部１２,１３及び前記吊り子２３の一対の曲折係合部２３ａに係止することによって前記金具７１が前記モジュール固定部１１に係止し、この状態で、ボルト７４とナット７５によって前記金具７１と前記各内方突出部１２ｂ，１３ｂとを一体状に締結することにより、前記吊り子２３と強固に一体化され、さらに、前記ボルト７４によるボルト締め時に前記金具７１上に位置する太陽発電モジュール７０に設けられたモジュール固定部品７８を共締めすることにより、前記太陽発電モジュール７０は、前記野地板２２上のモジュール固定部１１に固定される。
【００２４】
図１１は、前述の図６及び図７で示されたように、第１傾斜屋根部６１のモジュール固定部１１の前記金具７１を直付けする構成に対して、前記金具７１上に全体形状が三角形をなす架台８０（通称、トラス）が取り付けられ、この架台８０上には前記太陽発電モジュール７０が取り付けられている。
尚、他の部分は図７と同一であるため、図７と同一部分には同一符号を付し、その説明は省略する。
【００２５】
尚、本発明による無落雪金属屋根の要旨とするところは、以下の通りである。
すなわち、野地板２２に吊り子２３を介して設けた金属屋根材上１に１個又は複数の太陽発電モジュール７０が設置され、互いに逆方向に傾斜する第１傾斜屋根部６１と第２傾斜屋根部６２との間に谷樋６３が設けられた無落雪金属屋根において、前記金属屋根材１に形成され前記太陽発電モジュール７０を支持するため直線状に形成された長手のモジュール固定部１１は、前記金属屋根材１から互いに逆向きで鈍角状のくの字型に立上がる一対の第１、第２くの字型立上がり部１２,１３からなり、前記各くの字型立上がり部１２,１３内には空間１４が形成され、前記各くの字型立上がり部１２,１３の先端に形成され内方に向けて突出する第１、第２内方突出部１２ｂ，１３ｂは、前記金属屋根材１が折り重ねられて形成され、前記モジュール固定部１１の全長のうち一端側及び他端側はつぶされて互いに離間する第１、第２平坦部１２Ａ，１３Ａが形成され、前記モジュール固定部１１の前記各平坦部１２Ａ，１３Ａ間に前記太陽発電モジュール７０が載置されている構成であり、また、前記各くの字型立上がり部１２,１３は、各々一対のくの字型曲折部１２ａ，１２ａ，１３ａ，１３ａを有し、前記各くの字型立上がり部１２，１３をつぶす時は、前記各くの字型曲折部１２ａ，１２ａ，１３ａ，１３ａが折れて平坦状に変形されている構成であり、また、前記第１平坦部１２Ａは前記第１、第２傾斜屋根部６１，６２の第１、第２パラペット６４，６５側で上方に折り曲げられ、前記第２平坦部１３Ａは前記第１、第２傾斜屋根部６１，６２の前記谷樋６３側で下方に折り曲げられている構成であり、また、前記吊り子２３の長さは、前記モジュール固定部１１の全長より短い構成である。
【産業上の利用可能性】
【００２６】
本発明による無落雪金属屋根は、パラペットを用いた傾斜屋根部に設けた金属屋根材のモジュール固定部に平坦部を形成することができ、金属屋根材のモジュール固定部の平坦化作業を屋根の上で出来、無落雪金属屋根における太陽発電モジュールの普及に大きく寄与することができる。
【符号の説明】
【００２７】
１    金属屋根材
１０    第１屋根接続部
１０Ａ    第２屋根接続部
１１    モジュール固定部
１１Ａ    一端側
１２    第１くの字型立上がり部
１１Ｂ    他端側
１２Ａ，１３Ａ    第１、第２平坦部
１２ａ，１３ａ    第１、第２くの字型曲折部
１２ｂ，１３ｂ    第１、第２内方突出部
１３    第２くの字型立上り部
１４    空間
２１    垂木
２２    野地板
２３    吊り木
２３ａ    曲折係合部
６０    無落雪金属屋根
６１    第１傾斜屋根部
６２    第２傾斜屋根部
６３    谷樋
６４,６５    第１、第２パラペット
７０    太陽発電モジュール
７１    金具
７８    モジュール固定部品
８０    架台
【図１】
2015078489.tif 000003
【図２】
2015078489.tif 000004
【図３】
2015078489.tif 000005
【図４】
2015078489.tif 000006
【図５】
2015078489.tif 000007
【図６】
2015078489.tif 000008
【図７】
2015078489.tif 000009
【図８】
2015078489.tif 000010
【図９】
2015078489.tif 000011
【図１０】
2015078489.tif 000012
【図１１】
2015078489.tif 000013
【図１２】
2015078489.tif 000014
【図１３】
2015078489.tif 000015
【図１４】
2015078489.tif 000016
【図１５】
2015078489.tif 000017
【図１６】
2015078489.tif 000018
【図１７】
2015078489.tif 000019